(57)【要約】【課題】  摩擦抵抗を減らして静電気の発生を抑える効果が長期間維持されず、安価に作れない。【解決手段】  外テープガイド２２は、テープ１１の左右の縁部のみをガイドするガイド部２２ａを持つ、たとえば、フォーク形状に形成され、内テープガイド２４は外テープガイドのガイド部２２ａと略同一の長さの縁部２４ａを左右に持つ形状に分割して成形される。そして、テープ走行溝２０は外テープガイドのガイド部２２ａと内テープガイドの縁部２４ａとの間に形成され、テープ１１は、その左右の縁部においてのみ、外テープガイド２２、内テープガイド２４に接触可能となり、テープの中央部は外テープガイド、内テープガイドに接触しない。そのため、テープ１１に対する内外のテープガイド２２、２４の接触面は最小となり、摩擦抵抗が減少して静電気の発生が抑えられる。【選択図】          図２
2006069659.tif 000002
【特許請求の範囲】
【請求項１】
梱包物の載せられるテーブルの回りに直線部とコーナー部とを組合わせてなるアーチガイドを配置し、アーチガイドに形成したテープ走行溝にテープを送り込んで走行させ、アーチガイドを一回りしたテープの先端を保持し、テープを引き戻してアーチガイドからテープを外し、落下させて梱包物をテープで梱包するアーチガイド付梱包装置において、
直線部、コーナー部の少なくとも一方において、アーチガイドは、左右に分割して形成され、サイドに逃げてアーチガイドからのテープの離脱、落下をアシストする可動の内テープガイドと、内テープガイドと対面して設けられた固定の外テープガイドとを備えて形成され、
内テープガイド、外テープガイドは、テープの左右の縁部のみをガイドする形状にそれぞれ形成されていることを特徴とするアーチガイド付梱包装置。
【請求項２】
梱包物の載せられるテーブルの回りに直線部とコーナー部とを組合わせてなるアーチガイドを配置し、アーチガイドに形成したテープ走行溝にテープを送り込んで走行させ、アーチガイドを一回りしたテープの先端を保持し、テープを引き戻してアーチガイドからテープを外し、落下させて梱包物をテープで梱包するアーチガイド付梱包装置において、
直線部、コーナー部の少なくとも一方において、アーチガイドは、テープの左右の縁部のみをガイドする形状にそれぞれ形成された内テープガイド、外テープガイドを備えて形成され、
内テープガイド、外テープガイドは一体的に形成され、一体化されたテープガイドは左右に分割されて可動に形成されていることを特徴とするアーチガイド付梱包装置。
【請求項３】
梱包物の載せられるテーブルの回りに直線部とコーナー部とを組合わせてなるアーチガイドを配置し、アーチガイドに形成したテープ走行溝にテープを送り込んで走行させ、アーチガイドを一回りしたテープの先端を保持し、テープを引き戻してアーチガイドからテープを外し、落下させて梱包物をテープで梱包するアーチガイド付梱包装置において、
直線部、コーナー部の少なくとも一方において、アーチガイドは、テープの左右縁部を保持してテープの走行をガイドする外テープガイドと、外テープガイドに対面して架設されて走行時のテープの離脱を防ぐ線材からなる内テープガイドとを備えて形成されていることを特徴とするアーチガイド付梱包装置。
【請求項４】
梱包物の載せられるテーブルの回りに直線部とコーナー部とを組合わせてなるアーチガイドを配置し、アーチガイドに形成したテープ走行溝にテープを送り込んで走行させ、アーチガイドを一回りしたテープの先端を保持し、テープを引き戻してアーチガイドからテープを外し、落下させて梱包物をテープで梱包するアーチガイド付梱包装置において、
直線部、コーナー部の少なくとも一方において、アーチガイドは、テープの左右縁部を保持してテープの走行をガイドする架設された線材からなる外テープガイドと、外テープガイドに対面して架設されて走行時のテープの離脱を防ぐ線材からなる内テープガイドとを備えて構成されていることを特徴とするアーチガイド付梱包装置。
【発明の詳細な説明】
【技術分野】
【０００１】
本発明は、アーチガイドのテープ走行溝を走行するテープの摩擦抵抗を減らしてテープの送り込み（正転性）を改善させたアーチガイド付梱包装置に関する。
【背景技術】
【０００２】
テーブルの回りにアーチガイドを配置したアーチガイド付梱包装置は、アイドラーとの間でテープを挟持する駆動ローラを回転してテープをアーチガイドのテープ走行溝に送り込んで走行させ、アーチガイドを一回りしたテープの先端を保持し、駆動ローラを逆転させて引き戻してアーチガイドからテープを外して落下させ、駆動ローラをさらに逆転させてテープをテーブル上の梱包物の回りで掛け渡し、引き締めてからテープを切断することにより、梱包物を梱包するように構成されている。なおこの種の装置は、結束機、バンド掛機などとも言われるが、本件の梱包装置は、結束機、バンド掛機などを含めたこの種の装置の総称を言う。同様に、梱包物の回りに掛け渡されて梱包物を梱包するテープはバンドとも言われるが、本件のテープはバンドも含めた概念を言う。
【０００３】
アーチガイドは直線部とコーナー部とを組み合わせた門型とされる。そして、アーチガイドは対面して位置する内外のテープガイドを備え、テープ走行溝が対面する内外のテープガイドの間に形成される。通常、外テープガイドは固定、内テープガイドは可動とされ、内テープガイドはテープの落下を妨げないようにテープの引き戻しに同期して左右(サイド)に逃げて開いたり、テープに押されて揺動して開くように構成される。しかし、テープの柔軟性によって内テープガイドの隙間をすり抜けてテープが落下可能であれば、内テープガイドは可動とされない。
【０００４】
テープは、内外のテープガイドに接触してガイドされながらテープ走行溝に送り込まれて走行しているため、内外のテープガイドとの接触により摩擦抵抗を受けるとともに摩擦抵抗によって静電気が発生する。そして、摩擦抵抗、静電気はテープの送り込みを妨げて、円滑な送り込みの障害となり、テープの品質によっては、テープ詰まりも生じさせる。ここで、駆動ローラの逆転によってテープを引き戻しているのに対して、駆動ローラの正転によってテープを送り込むため、テープの送り込みはテープの正転と称される。
【０００５】
摩擦抵抗を減らし静電気の発生を抑えて、テープが詰まることなく円滑に送り込まれるように、たとえば、内テープガイドを摩擦抵抗の少ない材質から成形したり、摩擦抵抗の少ないシートで覆うことが考えられ、実公平６−０３４２５２号公報では、ゴム板に四フッ化エチレン樹脂シートを貼付したり、合成樹脂層に合成樹脂繊維の積層シートを貼付して内テープガイドを成形することが記載されている。また、実開平７−０３７９０１号公報では、内外のテープガイドを断面コ字形状の一体物とし、低摩擦材のライナーを内蔵させて摩擦抵抗を減らしている。なお、この一体物のテープガイドは左右いずれかに逃げることにより、その中のテープを開放している。
【０００６】
実開昭６１−０４０３０３号公報では、四フッ化エチレン樹脂シートを外テープガイドに貼付している。そして、テープはアーチガイドのコーナー部で外テープガイドに当たってその送り込み方向を変える。そのため、コーナー部において大きな摩擦抵抗を受けて大きな静電気が生じる点に着目し、コーナー部で外テープガイドに断面Ｖ字形状の突起を形成し、突起も四フッ化エチレン樹脂シートで覆っている。この構成では、突起を乗り越えて送られるとき、突起付近でテープは浮き上がって外テープガイドに接触しないため、コーナー部での摩擦抵抗が減り、静電気の発生が抑制される。
【０００７】
しかし、内外のテープガイドを摩擦抵抗の少ない材質から成形したり、樹脂シートなどを貼付する構成では、テープガイドが高価となる。また、内外のテープガイドを摩擦抵抗の少ない材質で成形する代わりに、内外のテープガイドの表面にテフロン（登録商標）加工などを施して摩擦抵抗を減らすことも考えられるが、テープガイドが高価になることに変わりはない。さらに、四フッ化エチレン樹脂シートなどを内外のテープガイドに貼付したり、内外のテープガイドの表面をテフロン（登録商標）加工しても、長期の使用によって樹脂シートやテフロン（登録商標）加工面が剥がれ、その効果が時間の経過とともに顕著に低下する。
【０００８】
コーナー部で外テープガイドに突起を形成する構成では、突起の存在により、外テープガイドの成形が煩雑化する。また、突起はテープに強く擦られ、突起を被う樹脂シートはもちろん、突起も短期間で磨耗し、その効果が長期間保持されない。実開平７−０２４７０１号公報では、突起の磨耗を考慮して、金属ピンで突起を代用し、金属ピンを交換することにより磨耗による影響を解消している。しかし、金属ピンを外テープガイドに装着するために外テープガイドが特殊な形状となり、この点で外テープガイドの成形が複雑化する。
【０００９】
このように、内外のテープガイドを摩擦抵抗の少ない材質から成形したり、樹脂シートなどを貼付したり、表面にテフロン（登録商標）加工を施したり、コーナー部で外テープガイドに突起や金属ピンを設ける公知の構成では、摩擦抵抗を減らし静電気の発生を抑えることができるとはいえ、その効果は短期間であり、本質的な解決となっていない。そして、長期間その効果を維持できないにも拘らず、内外のテープガイドを摩擦抵抗の少ない材質で成形したり、樹脂シートを使用したり、特殊な加工を加えたりするなどして、アーチガイドの高価格化を招いている。
【特許文献１】実公平６−０３４２５２号公報
【特許文献２】実開平７−０３７９０１号公報
【特許文献３】実開昭６１−０４０３０３号公報
【特許文献４】実開平７−０２４７０１号公報
【発明の開示】
【発明が解決しようとする課題】
【００１０】
解決しようとする課題は、摩擦抵抗を減らして静電気の発生を抑える効果が長期間維持される安価なアーチガイド付梱包装置がない点にある。
【課題を解決するための手段】
【００１１】
公知の構成では、テープに接触する内外のテープガイドの材質変更、樹脂シート貼付、テフロン（登録商標）加工による接触面変更、形状変更などによって、テープの摩擦抵抗を減少することに力点が置かれ、摩擦抵抗を生じる接触面そのもの大小については全く考慮されていない。これに対して、本発明では、接触面が少なければ摩擦抵抗が少ないことに着目し、テープとの内外のテープガイドの接触面そのものを減らすことに力点が置かれ、テープとの接触面を可能な限り少なくする形状に内外のテープガイドを形成することを最も主要な特徴としている。
【発明の効果】
【００１２】
請求項１記載の本発明によれば、内テープガイド、外テープガイドは、テープの左右の縁部のみをガイドする形状にそれぞれ形成され、必要最小限の接触面が内外のテープガイドに用意されるにすぎず、テープが内外のテープガイドから受ける摩擦抵抗が減って静電気の発生が抑制される。そのため、テープはアーチガイドに円滑に送り込まれて走行し、テープ正転性が改善される。そして、接触面を必要最小限とする形状であれば足り、内外のテープガイドの成形が容易であるため、アーチガイドが安価に得られる。アーチガイドが安価に得られることにより、梱包装置も安価になる。そして、その効果も長期間維持される。
【００１３】
請求項２記載の本発明によれば、内テープガイド、外テープガイドは、テープの左右の縁部のみをガイドする形状にそれぞれ形成されるとともに一体化されており、必要最小限の接触面が内外のテープガイドに用意されるにすぎず、テープが内外のテープガイドから受ける摩擦抵抗が減って静電気の発生が抑制される。そのため、テープはアーチガイドに円滑に送り込まれて走行し、テープ正転性が改善される。そして、接触面を必要最小限とする形状であれば足り、内外のテープガイドの成形が容易であるため、アーチガイドが安価に得られる。そして、その効果も長期間維持される。外テープガイド、内テープガイドを一体化して可動としているため、テープに対する芯出し（位置決め）が容易に行える。
【００１４】
請求項３記載の本発明によれば、必要最小限の接触面がアーチガイドに用意されるにすぎず、テープはその左右の端部で外テープガイドに接触し、内テープガイドが線材であるため、内テープガイドに線接触してテープ走行溝からの離脱を防止されているにすぎず、内外のテープガイドとの接触面は小さい。そのため、テープはアーチガイドに円滑に送り込まれて走行し、テープ正転性が改善される。また、内外のテープガイドが容易に成形でき、アーチガイドが安価に得られる。そして、その効果も長期間維持される。
【００１５】
請求項４記載の本発明によれば、内外のテープガイドがいずれも線材であるため、テープは、その左右の端部で外テープガイドに線接触してガイドされるとともに、内テープガイドに線接触してテープ走行溝からの離脱を防止されているにすぎず、内外のテープガイドとの接触面は小さく、テープが内外のテープガイドから受ける摩擦抵抗が減って静電気の発生が抑制される。そのため、テープはアーチガイドに円滑に送り込まれて走行し、テープ正転性が改善される。そして、線材からなる内外のテープガイドも安価に成形され、アーチガイドが安価に得られる。また、その効果も長期間維持される。
【発明を実施するための最良の形態】
【００１６】
摩擦抵抗を減らして静電気の発生を抑える効果が長期間維持され、アーチガイド付梱包装置を高価化せず安価に構成するという目的が、テープとの接触面を可能な限り少なくする形状に内外のテープガイドを形成することによって実現される。
【実施例】
【００１７】
図１は本発明に係るアーチガイド付梱包装置の概略正面図を示す。図１からわかるように、梱包装置１０は、その上面が梱包物１２の載せられるテーブル１４となる装置本体１６と、テーブルの回りに配置されたアーチガイド１８とを備えて構成され、テープが送り込まれて走行するテープ走行溝２０がアーチガイドに形成されている。なお、装置本体１６の内部には、テープを送るとともに引き戻して引き締める駆動ローラ、アーチガイドを１回りしたテープの先端を止めて把持し、テープを引き戻して梱包物の回りに掛け、引き締めてからテープを溶断する溶断機構、駆動ローラを駆動するモータなどが収納されているが、本発明と直接関係がないため、それらの構成部材の説明は省略する。
【００１８】
アーチガイド１８は、直線部１８ａとコーナー部１８ｂとを組み合わせた門型に構成され、対面して位置する内外のテープガイド２２、２４（図２、図３参照）を直線部、コーナー部のいずれにおいても備え、テープ走行溝２０が対面する内外のテープガイドの間に形成されている。なお、テーブル１４下方で装置本体１６内にも、アーチガイド１８の一部（底部）が位置している。
【００１９】
図２、図３は、図１の線ａａ、ｂｂに沿ったアーチガイド１８の横断面図であり、直線部、コーナー部でのアーチガイドの断面形状を示す。そして、後述するように、直線部では、内テープガイドはスライド可能(可動)とされ、図２（Ａ）（Ｂ）はスライド前およびスライド後の状態を示し、図２（Ｃ）は外テープガイドの平面図を示す。
【００２０】
図２（Ｃ）に示すように、アーチガイド１８の外テープガイド２２は、テープ１１の左右の縁部のみをガイドするガイド部２２ａを持つ、たとえば、フォーク形状に形成され、内テープガイド２４は外テープガイドのガイド部２２ａと略同一の長さの縁部２４ａを左右に持つ形状に分割して成形される。そのため、アーチガイド１８の直線部では、テープ走行溝２０は外テープガイドのガイド部２２ａと内テープガイドの縁部２４ａとの間に形成され、テープ１１は、その左右の縁部においてのみ、外テープガイド２２、内テープガイド２４に接触可能となり、テープの中央部は外テープガイド、内テープガイドに接触しない。
【００２１】
略同一長さの外テープガイドのガイド部２２ａ、内テープガイドの縁部２４ａは、テープ走行溝２０に送り込まれたテープ１１が走行中にテープ走行溝から離脱しない程度にできるだけ小さな長さに成形され、テープ１１に対する外テープガイド、内テープガイドの接触面は最小となる。そのため、外テープガイド２２、内テープガイド２４との接触による摩擦抵抗も減少し、静電気の発生も極力抑制される。したがって、アーチガイドの直線部にテープ１１は円滑に送り込まれてテープ走行溝２０を走行し、テープ正転性が改善される。
【００２２】
そして、外テープガイド２２をガイド部２２ａ付形状に、内テープガイド２４を左右に縁部２４ａを持つ形状にそれぞれ成形すれば、テープとの接触面が必要最小限となり、このような形状の成形は格別煩雑な工程を必要とせずに容易に行なえ、アーチガイド１８が安価に得られる。そして、アーチガイド１８が安価に得られれば、梱包装置１０も当然ながら安価に得られる。そして、接触面が小さくなるような形状に成形するだけであり、樹脂シートの貼付、表面のテフロン（登録商標）加工などによって摩擦抵抗を減らしているものでないから、摩擦抵抗が減って静電気の発生を抑える効果が時間の経過とともに顕著に減少することもなく長期間維持される。
【００２３】
なお、テープ１１が引き戻されると、それに同期して、図２（Ｂ）に示すように、内テープガイド２４は左右（サイド）に逃げて大きな隙間が内テープガイドの左右の縁部２４ａの間に形成され、テープはこの隙間を介してアーチガイド１８から外れて落下する。
【００２４】
上記のように、アーチガイド１８の直線部では、内テープガイド２４は分割して成形され、左右に可動となっている。しかし、コーナー部では、線材から内テープガイドを形成して、内テープガイド２４を可動とする必要を除いている。すなわち、図３（Ａ）に示すように、外テープガイド２２は、テープ１１の左右縁部を保持してテープの走行をガイドするガイド部２２ａ付の形状に形成され、内テープガイド２４は外テープガイドのガイド部２２ａに対面して架設されてテープの離脱を防ぐ線材から形成されている。線材として、ピアノ線のような鋼線が使用できる。また、軟質のテープ１１に対しては、耐久性のある合成樹脂の線材（たとえば、テニスラケットやバドミントンラケットのガット、釣り糸）も使用できる。
【００２５】
この構成においても、外テープガイド２２は、テープ１１の左右縁部を保持してテープの走行をガイドする形状、たとえば、ガイド部２２ａ付の形状とされ、ガイド部は、テープの走行をガイドする範囲でできるだけ小さな長さに成形される。そして、線材から成る内テープガイド２４とのテープ１１の接触は線接触にすぎない。そのため、コーナー部での接触面は小さく、内外のテープガイド２２、２４から受ける摩擦抵抗は少なく、静電気の発生が抑制され、テープ１１はアーチガイドのコーナー部に円滑に送り込まれて走行し、テープ正転性が改善される。そして、テープ１１の左右の端部を保持してテープの走行をガイドする形状であれば足り、外テープガイドの成形は容易であり、線材からなる内テープガイドの架設も容易であり、これらの構成は煩雑な工程を必要とせず容易に行なえ、アーチガイド１８が安価に得られ、梱包装置１０が高価格になることもない。また、接触面が小さくなる形状に成形するだけであり、樹脂シートの貼付、表面のテフロン（登録商標）加工などによって摩擦抵抗を減らしているものでないから、摩擦抵抗が減って静電気の発生を抑える効果が時間の経過とともに顕著に減少することもなく長期間維持される。
【００２６】
テープ１１に引き戻し力が加えられると、テープは内テープガイド２４に押し付けられて弾性変形し、内テープガイドの隙間をすり抜けてアーチガイド１８から外れて落下する（図３（Ａ）参照）。
このように、線材を内テープガイド２４とすれば、内テープガイドをすり抜けてテープ１１が離脱可能となり、内テープガイドを可動とする必要がない。そのため、テープ１１に引き戻し力が加えられたとき、内テープガイドを同期して動かす機構がコーナー部で不要となり、構成が簡単化されてアーチガイド１８および梱包装置１０が安価に得られる。しかしながら、必要であれば、内テープガイド２４を可動としてもよい。
【００２７】
線材（内テープガイド）２４は、図３（Ｂ）からわかるように、その端を折曲し、折曲片２４ｂを枠板２５の取付け孔２５ａに挿着して架設される。図３（Ｂ）では図面の複雑化を避けて、線材（内テープガイド）２４を１本しか図示しないが、断面Ｕ字形状の枠板２５の側壁に線材がそれぞれ架設されて、２本の線材がアーチガイドのコーナー部に併設されていることは図３（Ａ）からも容易に理解できる。
【００２８】
線材を内テープガイド２４として使用する構成は、外テープガイド２２にも応用できる。すなわち、図４（Ａ）に示すように、内テープガイド２４だけでなく、外テープガイド２２も線材から構成できる。ここで、内テープガイド２２は、左右１本ずつ計２本の線材から形成できる。しかし、テープ１１の送り込みと走行を確実にガイドするだけのガイド長さを確保するように、外テープガイド２２は、テープの腰の強さや線材の直径などを考慮して、その本数、配置位置が決められ、たとえば、左右に２本ずつの計４本の線材から形成される。
【００２９】
線材を外テープガイド２２、内テープガイド２４をいずれも線材から成形するアーチガイド１８の構成は、コーナー部だけでなく直線部にも採用できる。そして、この構成ではテープ１１と内外のテープガイド２２、２４との接触は線接触となり、テープの送り込みの障害となる摩擦抵抗は最小となり静電気の発生も極力抑制されるため、テープはアーチガイドの直線部、コーナー部のいずれにも円滑に送り込まれてテープ走行溝２０を走行し、テープ正転性が大幅に改善される。また、テープ１１に引き戻し力が加えられたとき、内テープガイド２４を同期して動かす機構がコーナー部、直線部の双方で不要となり、構成が簡単化されて、アーチガイド１８および梱包装置１０が安価に得られる。
【００３０】
線材から外テープガイド２２を形成するとき、線材を直接架設せず、図４(Ａ')に示すように、外テープガイドのガイド部２２ａに係合溝２２ｃを形成し、その一部を突出させて係合溝に線材を係合させる構成としてもよい。この構成では、ガイド部２２ａに係合溝２２ｃを形成する工程が付加されるが、僅かな加工で足り、高価格化を招くに至らない。
【００３１】
テープ１１が、その左右の縁部でのみ、固定の外テープガイド２２、可動の内テープガイド２４に接触する構成は、図２に示す構成に限定されない。たとえば、図５（Ａ）に示すように、外テープガイド２２を外フランジ付２２ａ付の断面略Ｕ字形状とし、外フランジ付２２ａと内テープガイドの縁部２４ａとの間に、テープガイド溝２０を形成する構成としてもよい。
【００３２】
この構成においても、テープ１１は、その左右の縁部においてのみ、外テープガイド２２、内テープガイド２４に接触可能となり、テープの中央部は外テープガイド、内テープガイドに接触しない。そして、略同一長さの外テープガイドのガイド部２２ａ、内テープガイドの縁部２４ａは、テープ走行溝２０に送り込まれたテープ１１が走行中にテープ走行溝から離脱しない程度にできるだけ小さな長さに形成される。そのため、テープ１１に対する外テープガイド２２、内テープガイド２４の接触面は最小となり、外テープガイド、内テープガイドとの接触による摩擦抵抗も減少し、静電気の発生も極力抑制され、アーチガイドの直線部（側部）にテープ１１は円滑に送り込まれてテープ走行溝２０を走行し、テープ正転性が改善される。ここで、分割された内テープガイド２４が左右に逃げて大きな隙間が左右の縁部２４ａの間に形成されると、テープ１１がこの隙間を介してアーチガイド１８から外れて落下することはいうまでもない（図５(Ｂ)参照）。
【００３３】
図２、図５の実施例では、外テープガイド２２を固定し、内テープガイド２４のみを可動としている。しかし、外テープガイド２２、内テープガイド２４を一体化し、一体化したテープガイド２２４を左右に可動としてもよい。この場合には、たとえば、テープガイド２２４は、断面コ字形状（図６参照）、または、対面して設けた２枚のガイド部２２４ａを持つ形状(図７参照)に成形される。なお、図６、図７の（Ａ）（Ｂ）は可動の内テープガイドのスライド前後の状態を示す。外テープガイド２２、内テープガイド２４を一体化して左右に可動とする構成では、左右のいずれかに可動とする公知の構成に比較して、テープ１１に対する芯出し（位置決め）が容易に行える利点がある。
【００３４】
線材を利用しないで、外テープガイド２２、内テープガイド２４が、テープ１１の左右の縁部のみを保持し、テープ１１に対する外テープガイド、内テープガイドの接触面を最小とする構成（図２、図５、図６、図７）は、アーチガイド１８の直線部に限定されず、そのコーナー部でも採用できる。
【００３５】
内テープガイド２４を線材から、または、外テープガイド２２、内テープガイド２４の双方に線材を利用した構成（図３、図４）と、外テープガイド２２、内テープガイド２４が、テープ１１の左右の縁部のみを保持する構成（図２、図５、図６、図７）とを組み合わせて、アーチガイドの直線部、コーナー部を構成してもよいことは言うまでもない。
【００３６】
上記のように、本発明によれば、線材を使用するなどして、テープとの接触面を可能な限り少なくするような形状に内外のテープガイドを形成することにより、テープが内外のテープガイドから受ける摩擦抵抗が減って静電気の発生が抑制されるため、テープは円滑に送り込まれて走行し、テープ正転性が改善される。そして、接触面を必要最小限とする形状であれば足り、内外のテープガイドの成形も容易であるため、アーチガイドが安価に得られて梱包装置１０の高価格化を招くことがなく、その効果も長期間維持される。
【００３７】
上述した実施の形態は、この発明を説明するためのものであり、この発明を何等限定するものでなく、この発明の技術範囲内で変形、改造等の施されたものも全てこの発明に包含されることはいうまでもない。
【産業上の利用可能性】
【００３８】
摩擦抵抗による静電気が障害となる分野での摩擦抵抗を減らす構成として本発明の技術思想は広範囲に応用できる。
【図面の簡単な説明】
【００３９】
【図１】本発明の一実施例に係るアーチガイド付梱包装置の概略正面図である。
【図２】図１の線ａａに沿ったアーチガイドの直線部の横断面図であり、（Ａ）（Ｂ）は可動の内テープガイドのスライド前後の状態を示す。
【図３】（Ａ）は図１の線ｂｂに沿ったアーチガイドのコーナー部の横断面図、（Ｂ）は線材からなる内テープガイドの取り付け状態を示す斜視図である。
【図４】（Ａ）（Ａ'）は内外のテープガイドをいずれも線材から形成した変形例を示すアーチガイドの横断面図である。
【図５】別実施例におけるアーチガイドの横断面図であり、（Ａ）（Ｂ）は可動の内テープガイドのスライド前後の状態を示す。
【図６】外テープガイド、内テープガイドを一体化した実施例におけるアーチガイドの横断面図であり、（Ａ）（Ｂ）は一体化したテープガイドのスライド前後の状態を示す。
【図７】外テープガイド、内テープガイドを一体化した別の実施例におけるアーチガイドの横断面図であり、（Ａ）（Ｂ）は一体化したテープガイドのスライド前後の状態を示す。
【符号の説明】
【００４０】
１０    アーチガイド付梱包装置
１１    テープ
１２    梱包物
１４    テーブル
１６    装置本体
１８    アーチガイド
１８ａ  アーチガイドの直線部
１８ｂ  アーチガイドのコーナー部
２０    テープ走行溝
２２    外テープガイド
２２ａ  外テープガイドのガイド部
２２ｂ  係合溝
２４    内テープガイド
２４ａ  内テープガイドの縁部
２４ｂ  ワイヤの折曲端
２５    枠板
２５ａ  取付け孔
２２４  一体化されたテープガイド
２２４ａ  テープガイドのガイド部
【図１】
2006069659.tif 000003
【図２】
2006069659.tif 000004
【図３】
2006069659.tif 000005
【図４】
2006069659.tif 000006
【図５】
2006069659.tif 000007
【図６】
2006069659.tif 000008
【図７】
2006069659.tif 000009